(57)【要約】【課題】剥離フィルムを剥がすのが容易で、さらに剥離フィルムの両面が有効利用された貼付剤を提供すること。【解決手段】延紙３とその表面に延展塗布される薬剤と、薬剤２に仮付着された剥離紙４とよりなる貼付剤１であって、該薬剤側を内側にして２つ折りになった延紙３の間に剥離紙４が挿入されており、２つ折りにして２片部になった延紙３の両方に薬剤２が延展塗布されており、その合わせ端の長さが両片部で異なっており、剥離紙４が、薬剤塗布端より突出した位置にまで延びていることにより未仮付着部Ｓが形成されている貼付剤。【効果】本発明の貼付剤は、剥離紙の使用量が極力少なくなりコスト的に有利である。また、剥離紙の両面が有効使用されることにより貼付剤の使用後にゴミとなる剥離紙の減量化が図られる。【選択図】　図３
2004081558.tif 000002
【特許請求の範囲】
【請求項１】
延紙とその表面に延展塗布される薬剤と、薬剤に仮付着された剥離紙とよりなる貼付剤であって、該薬剤側を内側にして２つ折りになった延紙の間に剥離紙が挿入されていることを特徴とする貼付剤。
【請求項２】
２つ折りにして２片部になった延紙の両方に薬剤が延展塗布されていることを特徴とする請求項１記載の貼付剤。
【請求項３】
２つ折りにして２片部になった延紙において、その合わせ端の長さが両片部で異なっていることを特徴とする請求項１記載の貼付剤。
【請求項４】
剥離紙が、薬剤塗布端より突出した位置にまで延びていることにより未仮付着部が形成されていることを特徴とする請求項１記載の貼付剤。
【請求項５】
２つ折りにして２片部になった延紙において、その合わせ端から一定の距離は薬剤が延展塗布されていない未塗布部分を有することを特徴とする請求項１記載の貼付剤。
【請求項６】
未塗布部分は一方の片部と他方の片部とでは長さが異なっていることを特徴とする請求項５記載の貼付剤。
【請求項７】
薬剤が膏薬であることを特徴とする請求項１記載の貼付剤。
【請求項８】
薬剤が湿布剤であることを特徴とする請求項１記載の貼付剤。
【請求項９】
薬剤が冷感剤であることを特徴とする請求項１記載の貼付剤。
【請求項１０】
薬剤が温感剤であることを特徴とする請求項１記載の貼付剤。
【請求項１１】
剥離紙が紙をシリコン処理したものであることを特徴とする請求項１記載の貼付剤。
【請求項１２】
延紙が和紙で形成されていることを特徴とする請求項１記載の貼付剤。
【発明の詳細な説明】
【０００１】
【発明の属する技術分野】
本発明は、貼付剤に関し、更に詳しくは、剥離紙が挿入されている貼付剤に関する。
【０００２】
【従来の技術】
従来から腰や肩、膝、肘等の痛み止めや凝り止めのために、いわゆる貼付剤が、老若男女を問わず広く利用されている。
この貼付剤は、基布に粘着性の薬剤を延展付着してその薬剤面に剥離フィルムを（すなわち剥離紙）貼着させたもので、剥離フィルムを剥がして薬剤側を人の肌に貼り付けて使用するものである。
図１４は、この従来の貼付剤を示す斜視図である。
【０００３】
貼付剤は、不織布等からなる基布１０の片面に薬剤が延展塗布された膏体９と合成樹脂フィルム等からなる剥離フィルム８とで構成されている。
この剥離フィルム８としては、一般に、平滑な表面を有し、且つ極めて薄い透明な合成樹脂フィルムが使用されている。
なお、このような貼付剤は、一般に、皮膚等への貼着作用を得るために貼着性の優れた薬剤が使われている。
【０００４】
貼付剤を製造する場合、通常、薬剤が延展された膏体９と剥離フィルム８を貼着した後、それを、例えば四角状に切断して個々に切り離している。
そのため、膏体９（又は基布１０）と剥離フィルム８とは４つの辺とも切断面が全部が面一となる。
このように従来の貼付剤は、面一の外周切断面であり、且つ剥離フィルム８も平滑で薄いために、剥離フィルム８を剥がそうとしても剥がし始めの手掛かりが掴めず、使用する者にとって極めて扱いにくい。
特に、高齢者にとっては、指先の力や器用さが衰えてきており、しかも視力等も低下していることから、薄く透明で且つ滑りやすい剥離フィルム８を膏体９から剥ぎ取ることは厄介で扱い上の大きな負担となっていた。
【０００５】
そのため貼付剤を使用するに際しては、第１段階として、図１５に示すように、膏体９の角隅部分１１を爪先で探って膏体９と剥離フィルム８との一部を少し解き、切っ掛けとなる摘まみ部分を確保する（摘まみ部分形成操作）。
このように全体を剥がす前に、先ず、切っ掛けとなる部分を確保するのである。
次に、摘まみ部分のところの剥離フィルム８と膏体９（又は基布１０）を、それぞれの手の指先で確り摘む。
【０００６】
そして、図１６に示すように、膏体９が捩れて絡まないように注意しながら一挙に両者を引き剥がし、薬剤面を表面に露出させるのである（引き剥がし操作）このように膏体９から剥離フィルム８を剥がすには、摘まみ部分形成操作及び引き剥がし操作との２段階の操作が必要であり、扱いが面倒であった。
一方、現在、プラスチック剥離フィルム等の廃棄物処理等が大きな問題となっている背景がある。
このような中で、更には省資源の観点からみても、剥離フィルムが片面しか使用されていないのは不合理であり不経済でもある。
【０００７】
【発明が解決しようとする課題】
本発明は、かかる実状を背景に、上記の問題点を克服するためになされたものである。　すなわち、本発明の目的は、剥離フィルムを剥がすのが容易で、さらに剥離フィルムの両面が有効利用された貼付剤を提供することである。
【０００８】
【課題を解決するための手段】
かくして、本発明者は、このような課題背景に対して、鋭意研究を重ねた結果、薬剤側を内側にして２つ折りになった基布である延紙の間に剥離フィルムとして剥離紙を挿入することで剥離紙の両面が利用でき、さらに、延紙に薬剤の塗布されていない未塗布部分を設けるとこで剥離紙を剥がすのが容易になることを見出し、この知見に基づいて本発明を完成させたものである。
【０００９】
即ち、本発明は、（１）、延紙とその表面に延展塗布される薬剤と、薬剤に仮付着された剥離紙とよりなる貼付剤であって、該薬剤側を内側にして２つ折りになった延紙の間に剥離紙が挿入されている貼付剤に存する。
【００１０】
そして、（２）、２つ折りにして２片部になった延紙の両方に薬剤が延展塗布されている貼付剤に存する。
【００１１】
そしてまた、（３）、２つ折りにして２片部になった延紙において、その合わせ端の長さが両片部で異なっている貼付剤に存する。
【００１２】
そしてまた、（４）、剥離紙が、薬剤塗布端より突出した位置にまで延びていることにより未仮付着部が形成されている貼付剤に存する。
【００１３】
そしてまた、（５）、２つ折りにして２片部になった延紙において、その合わせ端から一定の距離は薬剤が延展塗布されていない未塗布部分を有する貼付剤に存する。
【００１４】
そしてまた、（６）、未塗布部分は一方の片部と他方の片部とでは長さが異なっている貼付剤に存する。
【００１５】
そしてまた、（７）、薬剤が膏薬である貼付剤に存する。
【００１６】
そしてまた、（８）、薬剤が湿布剤である貼付剤に存する。
【００１７】
そしてまた、（９）、薬剤が冷感剤である貼付剤に存する。
【００１８】
そしてまた、（１０）、薬剤が温感剤である貼付剤に存する。
【００１９】
そしてまた、（１１）、剥離紙が紙をシリコン処理したものである貼付剤に存する。
【００２０】
そしてまた、（１２）、延紙が和紙で形成されている貼付剤に存する。
【００２１】
本発明は、この目的に沿ったものであれば、上記１〜１２の中から選ばれた２つ以上を組み合わせた構成も当然採用可能である。
【００２２】
【発明の実施の形態】
本発明の貼付剤に使用される薬剤としては、生薬を主体とした薬剤、例えば、膏薬、ごま油、四三酸化鉛、オウバク末、ロジン、ヨウバイヒ、等の他、湿布剤、芳香剤、冷感剤、温感剤等の種々のものが採用可能である。
【００２３】
以下、本発明の実施の形態を図面に基づいて説明する。
図１は、この実施の形態における貼付剤を半開き状態に展開した斜視図であり、図２は、それを全展開した図である。
貼付剤１は、薬剤２が延展塗布されている基布である延紙３（この薬剤が塗布されたものを支持体ともいう）と、薬剤２の面に仮付着された剥離紙４とで構成されている。
【００２４】
延紙３は、図に示すように、２つ折りにして２片部が形成されているが、その合わせ端から一定の距離は薬剤が延展塗布されていない部分である未塗布部分Ｗ、未塗布部分Ｎをそれぞれ有する。
そして、これらの未塗布部分は、一方の片部と他方の片部とではその幅が異なっているものである。
すなわち、未塗布部分Ｗと未塗布部分Ｎとは異なる幅になるように形成されており、この場合、その幅関係は、未塗布部分Ｗ＞未塗布部分Ｎとなる。
【００２５】
このように、未塗布部分Ｎは、合わせ端５１から内方に一定の距離だけ薬剤が延展塗布されていない部分であり、同様に未塗布部分Ｗは、未塗布部分Ｎより幅広に合わせ端５２から内方に一定の距離だけ薬剤が延展塗布されていない部分である。
したがって、両方の薬剤塗布端６１、６２の中心である塗布部中心線Ｃ１と両方の合わせ端５１、５２の中心である延紙中心線Ｃ２とは、異なる位置となる。
【００２６】
剥離紙４の片端部は、塗布部中心線Ｃ１の線上に沿って接するように配置されており、剥離紙４は、２つ折りされた延紙３の薬剤２が塗布されている内側面に挿入された状態となる（図１参照）。
つまり、貼付剤１は、塗布部中心線Ｃ１を折返し位置として２つ折りにして２片部になった延紙３のそれぞれに薬剤２が延展塗布されており、それらの両片部の間に剥離紙４が挿入されている構造となっている。
ここで剥離紙４としては、好ましくは紙をシリコン処理したものが使用される。
【００２７】
したがって、２つ折りにした両片部の合わせ端５１、５２の折返し位置（塗布部中心線Ｃ１に相当）からの長さは、それぞれ異なっているが、図３（Ａ）に示すように薬剤２の塗布されている薬剤塗布端６１、６２の両片部位置はほぼ一致する。
【００２８】
なお、剥離紙４が、薬剤塗布端６１、６２より突出した位置にまで長く延びていることにより仮付着されていない未仮付着部Ｓが形成される。
剥離紙４の長さ（塗布部中心線Ｃ１から合わせ端方向への長さ）は、図３（Ｂ）に示すように、合わせ端５１、５２より短く、薬剤塗布端６１、６２よりやや長い。
【００２９】
さて、このような構造を有する貼付剤１を使用するには、剥離紙４を引き剥がす必要がある。
次に、この引き剥がし操作について述べる。
（剥離操作法１）
いま貼付剤１を使用する際は、まず延紙３の背部である折返し端部７を一方の片手で掴んで保持し、他方の片手で上側になっている合わせ端部５１、５２を掴む（図４参照）。　すなわち、あたかも本のページを扱くように合わせ端５２の未塗布部分Ｗを摘むのである（図４参照）。
【００３０】
その際、一方の片部の合わせ端５２の長さが他方の片部の合わせ端５１の長さより長く形成されており、未塗布部分Ｗが突出しているため、指先が不器用であっても或いは視力が低下した高齢者にとっても容易にその未塗布部分Ｗを探り当てて摘むことができる。
また、片部の厚みにより生じる段差を指の感覚で感じ取ることでより容易に未塗布部分Ｗを探り当てることができる。
さらに、未塗布部分Ｗは、和紙の延紙３により形成されていることにより、指先を少しく湿らせれば、指先の力が弱い高齢者でも滑らずに確実に摘み保持できる。
【００３１】
次に、折返し端部７を持っていた手を放し、合わせ端部５１側に形成されている未塗布部分Ｎを摘み保持する（図５参照）。
そして、この未塗布部分Ｎと合わせ端部５２側に形成されている未塗布部分Ｗとを、あたかも本を開くように左右に引っ張って剥離紙４から両片部を引き剥がす（図６参照）。　剥離紙４から両片部全体が引き剥がされることで、薬剤塗布面が表面に全部露出することになる。
【００３２】
（剥離操作法２）
別の剥離操作としては、まず、延紙３の一方の片部の未塗布部分Ｗを一方の指で摘んで少しく開き、剥離紙４の端部を露出させる。
そして、他方の手の指で剥離紙４と他方の片部の未塗布部分Ｎとを一緒に摘む（図７参照）。
その後、一緒に摘んだ剥離紙４と未塗布部分Ｎとに対して未塗布部分Ｗを引っ張ると、剥離紙４から一方の延紙３の片部が剥がれてくる（図８参照）。
そして、更に引っ張ると一方の片部の薬剤塗布全面が表面に露出する（図９参照）。
なお、貼付剤の半分のみを使いたい場合は、この時点で塗布部中心線Ｃ１からカットして使用すればよい。
【００３３】
次に、今度は、延紙３の未塗布部分Ｎを一方の手の指で摘まみ、また他方の手の指で剥離紙４を摘まみ、一挙に離間する方向に引っ張るのである（図省略）。
この場合、剥離紙４は未仮付着部Ｓを有しているために摘まみ易い。
これで、剥離紙４は延紙３の両片部から完全に引き剥がされ、薬剤塗布面の全体が表面に露出することになる。
以上のように、貼付剤を剥離する操作法としては、２つのやり方があるが、どちらのやり方でも自由に採り得る。
以上の操作法で剥離紙４が剥がされ、その後、貼付剤１は患部へと貼り付けられる。
【００３４】
ところで、本発明の貼付剤１は、薬剤側を内側にして２つ折りにした延紙３の間に剥離紙４が挿入されているものであり、複数の工程を通過することにより製造される。
すなわち、図１０に示すように、延紙上に薬剤を延展塗布する塗布工程Ａと、薬剤が塗布された延紙を冷却する冷却工程Ｂと、その延紙を二つ折りにしてその間に剥離紙を挿入する挿入工程Ｃと、挿入された剥離紙と延紙とを圧接付着する付着工程Ｄ、剥離紙が圧接付着された貼付剤を一定の間隔で切断して個々の貼付剤１とする切断工程Ｅとを順次経ることにより、個々の貼付剤１が製造されることになる。
【００３５】
なお、薬剤が塗布された延紙を冷却する冷却工程Ｂと延紙を二つ折りにしてその間に剥離紙を挿入する挿入工程Ｃとの両工程間に、両者間での移送スピードを調整するためのバッファ工程Ｆが設けられており、更には、薬剤が塗布された延紙を冷却する冷却工程Ｂと、延紙を二つ折りにしてその間に剥離紙を挿入する挿入工程Ｃとの間に、薬剤が塗布された延紙に対する異物の混入をチェックするための異物検出工程Ｇが設けられている。
ここで延紙を二つ折りにしてその間に剥離紙を挿入する挿入工程Ｃにおいては、図１１に示すように、膏体を水平状態から徐々に立ち上げてＵ字状に屈曲形成するための第１の案内ガイドと、図１２に示すように、剥離紙４を水平状態から徐々に立ち上げて二つ折りの延紙３の間に挿入するための第２の案内ガイドとを備えている。
図１３は、第１の案内ガイドと第２の案内ガイドとの関係を示す図である。
【００３６】
第１案内ガイド１２は、幅方向の両端部に折返し部を有しており、延紙３は、この折返し部に横方向のズレを規制されながら図１１に示す略水平状態（Ａ）、Ｕ字状状態（Ｂ）、二つ折り状態（Ｃ）へと案内される（延紙は紙面に垂直方向に移動）。
一方、第２案内ガイド１３は、図１２に示すように上端部が逆Ｕ字状に下端部はノ字状に形成されており、剥離紙４は、上端部の逆Ｕ字状部に上方へのズレを規制され下端部のノ字状部１４を支点として下方向へと案内される（剥離紙は紙面に垂直方向に移動）。
そして、第２案内ガイド１３は、図１３に示すようにＵ字状状態に形成された第１案内ガイド１２の内側に配設されることにより、二つ折りになった延紙３の間に剥離紙４が挿入されることになる。
【００３７】
以上、本発明を述べてきたが、本発明は、上述した実施の形態に限られるものではなく、その目的に則したものであれば種々の変形が可能である。
例えば、延紙に延展塗布される薬剤の種類は拘束されない。
また、例えば延紙としては、和紙の他、合成紙、不織布、編布、織布、プラスチックフィルム等も採用可能である。
また、２つ折りにして２片部になった延紙の一方の片部にのみ薬剤が延展塗布されているものも可能である。
また、剥離紙は紙だけでなくフィルム等の剥離性を有するものであればよい。
【００３８】
【発明の効果】
以上説明したように、本発明の貼付剤は、薬剤側を内側にして２つ折りになった延紙の間に剥離紙が挿入されているため、剥離紙の使用量が極力少なくなりコスト的に有利である。
また、剥離紙の両面が有効使用されることにより貼付剤の使用後にゴミとなる剥離紙の減量化が図られる。
２つ折りにして２片部になった延紙の合わせ端の長さが両片部で異なっており、また合わせ端から一定の距離は薬剤が延展塗布されていない部分を有することで、従来のような摘まみ部分形成操作や引き剥がし操作の２段階の面倒な操作が不要となり、高齢者等の指先が不器用な者でも容易に剥離紙を剥がすことができる。
本発明の貼付剤は、取扱性が極めて優れると共に省資源や環境に優しい貼付剤としても保証される。
【図面の簡単な説明】
【図１】図１は、この実施の形態における貼付剤を半開き状態にした斜視図である。
【図２】図２は、この実施の形態における貼付剤を全展開した斜視図である。
【図３】図３は、使用前の貼付剤を示す図であり、（Ａ）は、正面図を示し、（Ｂ）は、Ａ−Ａ’　の線断図を示す図である。
【図４】図４は、剥離操作法において未塗布部であるＷを摘む操作を示した図である。
【図５】図５は、剥離操作法において未塗布部であるＷとＮを各々の指先で摘んだ状態を示した図である。
【図６】図６は、剥離操作法において未塗布部であるＷとＮを各々の指先で摘んだ後に左右に引っ張って引き剥がす途中の状態を示した図である。
【図７】図７は、別の剥離操作法において剥離紙と未塗布部Ｎを同時に指先で摘んだ状態を示した図である。
【図８】図８は、別の剥離操作法において一緒に摘んだ剥離紙４と未塗布部分Ｎとに対して未塗布部分Ｗを引っ張った状態を示す図である。
【図９】図９は、一方の片部の薬剤塗布全面が表面に露出した状態を示す図である。
【図１０】図１０は、貼付剤の製造工程を示す概略図である。
【図１１】図１１は、貼付剤の製造工程における第１の案内ガイドを示す図であり、Ｕ字状に立ち上げる各過程を示す。
【図１２】図１２は、貼付剤の製造工程における第２の案内ガイドを示す図である。
【図１３】図１３は、貼付剤の製造工程における第１の案内ガイドと第２の案内ガイドとの関係を示す図である。
【図１４】図１４は、従来の貼付剤を示す斜視図である。
【図１５】図１５は、従来の貼付剤における摘まみ部分形成操作を示す図である。
【図１６】図１６は、従来の貼付剤における引き剥がし操作を示す図である。
【符号の説明】
１…貼付剤
２…薬剤
３…延紙
４…剥離紙
５１，５２…合わせ端
６１，６２…薬剤塗布端
７…折返し端部
８…剥離フィルム
９…膏体
１０…基布
１１…角隅部分
１２…第１の案内ガイド
１３…第２の案内ガイド
１４…ノ字状部
Ｃ１…塗布部中心線
Ｃ２…延紙中心線
Ｓ…未仮付着部
Ｗ，Ｎ…未塗布部分
Ａ…塗布工程
Ｂ…冷却工程
Ｃ…挿入工程
Ｄ…付着工程
Ｅ…切断工程
Ｆ…バッファ工程
Ｇ…異物検出工程
【図１】
2004081558.tif 000003
【図２】
2004081558.tif 000004
【図３】
2004081558.tif 000005
【図４】
2004081558.tif 000006
【図５】
2004081558.tif 000007
【図６】
2004081558.tif 000008
【図７】
2004081558.tif 000009
【図８】
2004081558.tif 000010
【図９】
2004081558.tif 000011
【図１０】
2004081558.tif 000012
【図１１】
2004081558.tif 000013
【図１２】
2004081558.tif 000014
【図１３】
2004081558.tif 000015
【図１４】
2004081558.tif 000016
【図１５】
2004081558.tif 000017
【図１６】
2004081558.tif 000018